(57)【要約】【課題】本考案では、操作性が容易で安全性を向上でき、見た目の美観を損なわない、ブラインド改良構造を提供する。【解決手段】本考案のブラインドの改良構造は、ブラインド１０の上部レール１中に隠蔵式の巻取り・巻戻しリール２を配置し、前記巻取り・巻戻しリール２に一端が連結された牽引紐２１の他端をブレード３と連結し、前記巻取り・巻戻しリール２に連結された牽引紐２１の巻取り・巻戻し操作により、ブレード３の昇降を制御できるようにした。【選択図】  図２
0003124235.tif 000002
【実用新案登録請求の範囲】
【請求項１】
ブラインドの改良構造であって、ブラインドの上部レール中に収容式の巻上げ・巻戻しリールを配置し、前記巻上げ・巻戻しリールに一端が連結された牽引紐の他端をブレードと連結し、前記巻上げ・巻戻しリール連結された牽引紐の巻上げ・巻戻し操作により、ブレードの昇降を制御できるようにしたことを特徴とするブラインドの改良構造。
【請求項２】
前記ブレードは、一枚のブラインド生地の所望箇所に折り畳みを容易にするループ部を形成したものであることを特徴とする請求項１に記載のブラインドの改良構造。
【請求項３】
前記ブレードは、複数に折り畳まれる各ループ部位置にそれぞれ前記牽引紐が連結されたものであることを特徴とする請求項１に記載のブラインドの改良構造。
【請求項４】
前記ブレードは、細幅状態に折曲げ可能な多重式ブラインド構成を採用した形態であることを特徴とする請求項１に記載のブラインドの改良構造。
【請求項５】
前記ブレードは、細幅状態に分割された複数のブレードを上下方向に連結すると共に、前記複数のブレードは少なくとも水平状態からの９０度の旋回で上下に配設されたブレードの隣接端部と重なる百葉式ブラインド構成を採用した形態であることを特徴とする請求項１記載のブラインドの改良構造。
【請求項６】
前記ブレードは、細幅状態に折曲げ可能なブレードを仕切り板を介して複数区域に分割し、各分割されたブレードの仕切り板に、前記牽引紐の末端部を連結し、前記牽引紐の始端部を前記巻上げ・巻戻しリールに連結して、前記各分割された区域のブレードの独立操作を可能にしたことを特徴とする請求項１に記載のブラインドの改良構造。
【請求項７】
前記ブラインドの上部レールの上端部には、複数の吊り環を設けた構成としたことを特徴とする請求項１〜６のいずれか１つに記載のブラインドの改良構造。
【請求項８】
前記ブラインドのブレードは、前記上部レールに配設された電動式の巻上げ・巻戻しリールにより、前記牽引紐を介して巻上げ・巻戻し制御可能に構成されていることを特徴とする請求項１〜６のいずれか１項に記載のブラインドの改良構造。
【考案の詳細な説明】
【技術分野】
【０００１】
本考案は、ブラインドの改良構造に関するものであって、特に、ブラインドの上部レール中に収納式の巻上げ・巻戻しリールを収納配置し、前記リールに一端が連結された牽引紐の他端をブレードに連結して、ブラインドのブレードを昇降可能に制御し、且つ直接ブレードを引下げたり、押上げたりして、昇降操作を行い得る、操作性が容易で安全性を向上できるブラインドの改良構造に関するものである。
【背景技術】
【０００２】
一般にブラインド４０は、図９に示すように上部レール４１に複数の吊り掛けユニット４２を設置したカーテン構造で、吊り掛けユニット４２は、通し棒４３の収容空間４４を提供するようになっているので、使用者は購買後、直接、既存のカーテンレールに設置し固定する（或いは、ブラインド用棒を購入後、自身で装着する）もので、使用者は、随時、異なるブラインドに交換できるようになっている。
【０００３】
公知のブラインド構造においては、ブラインド４０のブレード４６を巻上げ・巻戻しするには、巻上げ・巻戻しリール４７に連結された牽引紐４８を操作する設計構造を採用しているが、牽引紐４８の取付け位置は、美観と操作性を考慮して、側辺に配置されている現状にある。
【０００４】
このような構成のブラインド構造にあっては、側辺に位置する牽引紐４８を引いたり緩めたりして、前記ブレード４６を巻上げ・巻戻し操作する時に、前記ブレード４６が水平状態で昇降することなく、片寄った方向からの操作力がブラインド４０のブレード４６に作用し、ブレード４６の左右端が片寄って昇降移動する現象が生じ、操作完了後に改めてブラインド４０の左右片寄り位置を元に戻すために再調整する必要が度々発生する問題点がある。
また、ブラインド４０の側辺に配置されている牽引紐４８は、ブレードを巻上げたときには、牽引紐４８の下方が露出することになり、美観を損ねるし、牽引紐４８の露出している状態で、不注意から幼い子供の首に絡まるなど不慮の事故の原因となる危険性もある。
【考案の開示】
【考案が解決しようとする課題】
【０００５】
本考案は、ブラインドの改良構造を提供し、上部レールの収容部に収納式の巻上げ・巻戻しリールを配置し、前記リールに連結した牽引紐によって、ブレードの昇降状態を制御し、前記牽引紐の操作によらず、直接ブレードを引下げたり、押し上げたりして、ブレードの昇降操作を行うようにしたもので、操作が容易で、かつ安全性を向上させるようにしたことを目的とする。
【課題を解決するための手段】
【０００６】
本考案の請求項１に記載のブラインドの改良構造は、ブラインドの上部レール中に収納式の巻上げ・巻戻しリールを収納配置し、前記巻上げ・巻戻しリールに一端が連結された牽引紐の他端をブレードと連結し、前記巻上げ・巻戻しリールに連結された牽引紐の巻上げ・巻戻し操作により、ブレードの昇降を制御できるようにしたことを特徴とする。
【０００７】
請求項２の考案は、請求項１に記載のブラインドの改良構造において、前記ブレードが、一枚のブラインド生地の所望箇所に折り畳みを容易にするループ部を形成したものであることを特徴とする。
請求項３の考案は、請求項１に記載のブラインドの改良構造において、前記ブレードが、複数に折り畳まれる各ループ部位置にそれぞれ前記牽引紐が連結されたものであることを特徴とする。
請求項４の考案は、請求項１に記載のブラインドの改良構造において、前記ブレードが、細幅状態に折曲げ可能な多重式ブラインド構成を採用した形態であることを特徴とする。
【０００８】
請求項５の考案は、請求項１に記載のブラインドの改良構造において、前記ブレードが、細幅状態に分割された複数のブレードを上下方向に連結すると共に、前記複数のブレードは少なくとも水平状態からの９０度の旋回で上下に配設されたブレードの隣接端部と重なる百葉式ブラインド構成を採用した形態であることを特徴とする。
請求項６の考案は、請求項１に記載のブラインドの改良構造において、前記ブレードが、細幅状態に折曲げ可能なブレードを仕切り板を介して複数区域に分割し、各分割されたブレードの仕切り板に、前記牽引紐の一端部を連結し、前記牽引紐の他端部を前記巻上げ・巻戻しリールに連結して、前記各分割された区域のブレードの独立操作を可能にしたことを特徴とする。
【０００９】
請求項７の考案は、請求項１〜６のいずれか１項に記載のブラインドの改良構造において、前記ブラインドの上部レールの上端部には、複数の吊り環を設けた構成としたことを特徴とする。
請求項８の考案は、請求項１〜７のいずれか１項に記載のブラインドの改良構造において前記ブラインドのブレードは、前記上部レールに配設された電動式の巻上げ・巻戻しリールにより、前記牽引紐を介して巻上げ・巻戻し制御可能に構成されていることを特徴とする。
【考案の効果】
【００１０】
本考案は上記構成としたので、以下のような効果がある。
１）本考案は、収納式の巻上げ・巻戻しリールをブラインドの上部レールに配置し、前記リールに連結された牽引紐を介してブレードを連結し、ブレードの昇降を制御するようにしたので、使用者は、ブレードを直接下に引くか、押し上げるかして、窓等に配設したブラインドの遮光状態を制御できるので、操作が容易である。
２）収納式の巻上げ・巻戻しリールを設置したので、操作時、公知のブラインドのように片方が紐の操作力により傾斜する問題を回避し、昇降操作によりブラインドが左右に滑動する現象が生じない。
３）牽引紐が巻上げ・巻戻しリールとブレードとの間に連結されていることにより、美しい外観が得られるだけでなく、牽引紐の下方が露出することがないので、不注意から幼い子供の首に絡まるなど不慮の事故の原因となる危険性を回避し、安全性を大幅に向上できる。
４）収納式の巻上げ・巻戻しリールの設置により、使用上、紐の操作空間を残す必要がない（紐を引く時、斜めに引く）。牽引紐がある場合、斜めに引く操作時、牽引紐はフレームに当接するので、公知のものは、フレーム上方の壁に設置されるようになっているが、フレーム中に埋入式で設置でき、空間を占有せず、美観を増加させる。
【考案を実施するための最良の形態】
【００１１】
以下本考案のブラインドの改良構造を実施するための最良の形態に係る実施例について、図面を基に説明する。
【実施例】
【００１２】
本考案のブラインドの改良構造は、図１に示されるように、上部レール１の収容部に、収納式の巻上げ・巻戻しリール２を配置し、前記リール２に一端が連結された牽引紐２１の他端をブレード３（図２で示される）に連結し、収納式の巻上げ・巻戻しリール２の牽引紐２１の巻上げ、巻下げ動作が、ブレード３の昇降を制御するようになっており、直接にブレード３を引き下げ（下降）させるか、押し上げ（上昇）させるかによって前記ブラインド１０の昇降操作が実行され、操作の容易性を向上させるようになっている。
【００１３】
上述の構造により、本考案のブラインド１０は、収納式の巻上げ・巻戻しリール２を配置することで、ブレード３の昇降状態の操作を制御することができるようになっているので、使用者は、ブレード３を直接操作してブレード３の昇降を制御し、ブラインドにおける所望の遮光状態を操作性よく制御することができる。
また、ブラインド１０の取り付け固定時には、取り付けフレームに埋入設置する構成とすることで、空間を占有せず、全体の美観を向上できる。
【００１４】
本考案のブラインド１０は、ブレード３を直接操作することにより、ブレード３の昇降位置を制御できるようにしたので、ブレード３の片側が上昇・下降に時に加えられる操作力で傾斜するような問題を発生せず、左右方向への滑動現象も生ずることなく、操作が容易である。
また、前記牽引紐２１が前記リール２中へ巻上げ・巻戻し状態に追随して移動する設計としたので、牽引紐２１が露出しないので、外観を損ねず、また、児童の首に巻きつく危険性もないので、安全性を大幅に向上させることができる。
【００１５】
上述の説明から分かるように、本考案のブラインド１０のブレード３は、応用上、形状を同形とした複数のブレード３の連結部を介して互いに折り畳み可能であるブラインド構造にしてもいいし、複数の同形状のブレード３に牽引紐２１が連結されたブラインド構造にしてもよい。
【００１６】
また、図４に示される変形例のように、吊り掛け箇所を複数の吊り環２２を取り付けた設計とし、ブラインド１０の外観を異なる形状にしたり、需要に応じて、図５の変形例のように前記ブレードが、細幅状態に折曲げ可能な多重式ブラインド構成を採用した多摺式形態としてもよい。
【００１７】
また、図６の変形例のように、前記ブレードが細幅状態に分割された複数のブレードを上下方向に連結すると共に、前記複数のブレードは少なくとも水平状態からの９０度の旋回で上下に配設されたブレードの隣接端部と重なる百葉式ブラインド構成を採用した形態にしてもよく、その適用範囲は広い。更にブラインド１０の収納式の巻上げ・巻戻しリール２を設置後取り付けることができる。
【００１８】
更にまた、本考案の設計中、図７に示す変形例のように、必要に応じてブレード３の構成を、細幅状態に折曲げ可能なブレードを仕切り板３Ａ，３Ｂ，３Ｃを介して複数区域に分割し、各分割されたブレード３の仕切り板Ａ，３Ｂ，３Ｃに、前記牽引紐２１の末端部を連結し、前記牽引紐２１の始端部を前記巻上げ・巻戻しリール２に連結して、前記各分割された区域のブレード３の独立操作を可能とした異なる様式のブラインド形状とすることもできる。
【００１９】
更にまた、上述した各実施例における構成は、ブラインド１０は露出した紐がなく、ブレード３と上部レール１間の牽引紐２１の連結は収納式の巻上げ・巻戻しリール２によって巻上げ・巻戻しができるようにした構成のブラインド構成であるが、図８で示される変形例ように、収納式の巻上げ・巻戻しリール２を、電動式リール４により構成することもできる。
【００２０】
電動式リール４によれば、ブレード３の昇降状態の制御を容易に行うことができると共に、安全性が高く、美観にも優れたものとすることができるし、ブレード３の巻上げ・巻戻し時に発生するブレード３の傾斜や、左右方向への滑動現象をなくすことができて、使用者は容易に操作できる。
【００２１】
本考案では好ましい実施例を前述の通り開示したが、これらは決して本考案に限定するものではなく、当該技術を熟知する者なら誰でも、本考案の精神と領域を脱しない範囲内で各種の変更や修正を加えることができ、従って本考案明の保護範囲は、実用新案登録請求の範囲で指定した内容を基準とする。
【図面の簡単な説明】
【００２２】
【図１】本考案のブラインドの改良構造の実施例を示す正面側から見た斜視図である。
【図２】本考案のブラインドの改良構造の実施例を示す背面側から見た斜視図である。
【図３】本考案のブラインドの改良構造の変形例を示す正面側から見た斜視図である。
【図４】本考案のブラインドの改良構造の変形例を示す正面側から見た斜視図である。
【図５】本考案のブラインドの改良構造のブレードの変形例を示した多摺式ブラインド斜視図である。
【図６】本考案のブラインドの改良構造のブレードの変形例を示した多摺式ブラインド斜視図である。
【図７】本考案のブラインドの改良構造のブレードの変形例を示した斜視図である。
【図８】本考案のブラインドの改良構造の収納式リールを電動式リールに変えた変形例を示す斜視図である。
【図９】従来のブラインド構造を示す斜視図である。
【符号の説明】
【００２３】
１    上部レール
２    収納式の巻上げ・巻戻しリール
２１  牽引紐
２２  吊り環
３    ブレード
４    電動式リール
１０  ブラインド
【図１】
0003124235.tif 000003
【図２】
0003124235.tif 000004
【図３】
0003124235.tif 000005
【図４】
0003124235.tif 000006
【図５】
0003124235.tif 000007
【図６】
0003124235.tif 000008
【図７】
0003124235.tif 000009
【図８】
0003124235.tif 000010
【図９】
0003124235.tif 000011